(57)【要約】【課題】瞬間的な電流消費により許容電流量に裕度が無い場合であっても、電流の許容範囲を超えることなく、動作可能な光ピックアップの制御方法を提供することを目的とする。【解決手段】トラッキングエラー信号とフォーカスエラー信号を用いて、光ピックアップの制御を行なう制御方法であって、前記トラッキングエラー信号と前記フォーカスエラー信号の電圧値と、あらかじめ決められた電圧の閾値とを比較し（Ｓ１２）、前記比較結果に基づいて、前記トラッキングエラー信号電圧と前記フォーカスエラー信号電圧の少なくとも一方を変更する（Ｓ１３、Ｓ１４）ことを特徴とするものである。【選択図】図３
2006147020.tif 000002
【特許請求の範囲】
【請求項１】
トラッキングエラー信号とフォーカスエラー信号を用いて、光ピックアップユニットの制御を行なう制御方法であって、前記トラッキングエラー信号と前記フォーカスエラー信号の電圧値と、あらかじめ決められた電圧の閾値とが比較され、前記比較結果に基づいて、前記トラッキングエラー信号電圧と前記フォーカスエラー信号電圧の少なくとも一方が変更されることを特徴とする光ピックアップユニットの制御方法。
【請求項２】
前記トラッキングエラー信号電圧値と前記フォーカスエラー信号電圧値の変更は、あらかじめ決められた電圧の閾値を超えた場合に、あらかじめ決められた電圧の閾値と同一の電圧となることを特徴とする請求項１に記載の光ピックアップユニットの制御方法。
【請求項３】
前記あらかじめ決められた電圧の閾値は、使用される光ディスクの種類に応じて可変することを特徴とする請求項１、２いずれか１項に記載の光ピックアップユニットの制御方法。
【請求項４】
前記あらかじめ決められた電圧の閾値は、光ピックアップユニットの動作状態に応じて可変することを特徴とする請求項１〜３いずれか１項に記載の光ピックアップユニットの制御方法。
【請求項５】
光ディスクに対して情報の記録又は再生の少なくとも一方を行なう光ピックアップユニットと、光ディスクを回転させる回転駆動手段と、トラッキングエラー信号とフォーカスエラー信号を検出する光ピックアップユニットと、前記トラッキングエラー信号と前記フォーカスエラー信号を用いて前記光ピックアップユニットを制御する制御部を備え、前記トラッキングエラー信号と前記フォーカスエラー信号の電圧値と、あらかじめ決められた電圧の閾値とを比較し、前記比較結果に基づいて、前記トラッキングエラー信号電圧と前記フォーカスエラー信号電圧の少なくとも一方を変更することを特徴とする光ディスク装置。
【請求項６】
前記光ディスク装置は、電力伝達機能と信号伝達機能を兼ね備えた接続手段を有することを特徴とする請求項５記載の光ディスク装置。
【請求項７】
前記接続手段は、ＵＳＢ（ユニバーサル・シリアル・バス）であり、前記接続手段により接続される電子機器はコンピュータであることを特徴とする請求項５、６いずれか１項に記載の光ディスク装置。
【発明の詳細な説明】
【技術分野】
【０００１】
本発明は、光ディスクに対して情報の記録又は再生の少なくとも一方を行なう光ピックアップユニットの制御方法および光ディスク装置に関するものである。
【背景技術】
【０００２】
パーソナルコンピュータ等の電子機器に接続して使用する周辺機器には、接続したパーソナルコンピュータ等の電子機器から電力供給を受けることが出来るものがある。例えば、ユニバーサル・シリアル・バス（以下「ＵＳＢ」と称す）は電源バスを有しているため、この電源バスにて電力供給を受けている接続機器がある。
【０００３】
ここでは、ＵＳＢにて電力供給可能な従来の光ディスク装置を例として、図を用いて説明する。図５は、従来の光ディスク装置の構成を示すブロック図である。図５において、１は光ディスク、２はフィードモータ、３はスピンドルモータ、４は光ピックアップユニット、５はＬＤドライバ、６はフィードモータドライバ、７はスピンドルモータドライバ、８はアクチュエータドライバ、９はリードアンプ、１０はＣＤエンコーダ、１１はＣＤ−ＲＯＭエンコーダ、１２はバッファメモリ、１３はＡＴＩＰディテクタ、１４はＣＤ−ＲＯＭデコーダ、１５はＣＤサーボプロセッサ、１６はシステムバス、１７はＣＰＵ、１８はリードオンリメモリ（ＲＯＭ）、１９はメインメモリ、２０は不揮発メモリ、２１はインターフェース部、２２はインターフェースバス、２３は電源ユニット、２４はＰＣ電源、２５はＡＣアダプタ、２６はＤＩＰＳＷである。
【０００４】
光ディスク１はスピンドルモータ３によって回転し、光ピックアップユニット４がフィードモータ２によって光ディスク１の半径方向に移動して、光ディスク１に対してデータの書き込みや読み取りがなされる。スピンドルモータ３はスピンドルモータドライバ７によって駆動され、フィードモータ２はフィードモータドライバ６によって駆動される。また、光ピックアップユニット４はアクチュエータドライバ８によって駆動される。
【０００５】
フィードモータドライバ６、スピンドルモータドライバ７、アクチュエータドライバ８は、ＣＤサーボプロセッサ１５によってサーボ制御される。光ピックアップユニット４にはレーザダイオードが内蔵されており、レーザダイオードはＬＤドライバ５によって駆動され、ＣＤエンコーダ１０から制御される。ＣＤ−ＲＯＭエンコーダ１１は、記録すべきデータを格納されているバッファメモリ１２から取得し、記録のためにエンコード処理を行い、その結果をＣＤエンコーダ１０に入力するものである。
【０００６】
再生系では、光ディスク１と光ピックアップユニット４から得られる光信号はリードアンプ９で信号処理され、ＣＤサーボプロセッサ１５へのフィードバック信号として使われると共に、ＡＴＩＰディテクタ１３の入力信号となり、その出力信号はＣＤエンコーダ１０へフィードバックされる。ＣＤ−ＲＯＭデコーダ１４はＣＤ信号を復調するためのものであり、ＣＤサーボプロセッサ１５の出力信号を使ってデータ復調を行い、その結果をバッファメモリ１２へ格納する。バッファメモリ１２は記録データ、および復調したデータを一時記憶するためのメモリである。これらのデータはインターフェース部２１を経由し、インターフェースバス２２を使った通信でホストコンピュータとやりとりされるものである。
【０００７】
ＣＰＵ１７は論理判断や演算を行う。１８はリードオンリメモリ（ＲＯＭ）で、制御プログラム、ならびに光ディスク記録装置のための記録制御プログラムを記憶したプログラム記憶エリアを有している。１９はメインメモリであり、記録制御、再生制御に必要な記憶領域として使用される。
【０００８】
システムバス１６は、光ディスク装置１０１内でのデータ転送用バスである。電源部分は、電源ユニット２３から、各制御チップに対して電圧を安定供給する。また、電源ユニット２３は、ＡＣアダプタ２５やＰＣ電源２４から、電源供給を受ける。ＰＣ電源２４は、パソコンにＵＳＢ接続されたインターフェース部２１から電源端子ＶＢＵＳの電圧に連動しドライブの電源ユニット２３に電圧を供給する仕組みを有し、ＵＳＢ電源のＯＮ／ＯＦＦに連動し自動的にドライブを起動及び終了させる。
【０００９】
ここで、従来の光ディスク装置における光ピックアップユニットの制御について、図６を用いて説明する。図６は、従来の光ピックアップユニットの制御を示すフローチャートである。光ディスク装置は、光ディスク１が挿入されると、スピンドルモータ３を回転させ、起動処理を開始し、フォーカスサーボ、トラッキングサーボをかけ、光ディスク１の種類判別を行なう（Ｓ１）。光ピックアップが搭載された光ピックアップユニット４で光ディスク１からのトラッキング信号とフォーカスエラー信号が検出され（Ｓ２）、検出されたトラッキングエラー信号とフォーカスエラー信号は、リードアンプ９で増幅される（Ｓ３）。フォーカスエラー信号とは、光ピックアップに備えられた対物レンズ（図示せず）より出射される光ビームスポットと光ディスク１の記録面との焦点方向のずれをいい、トラッキングエラー信号とは、前記光ビームスポットと光ディスク１の情報トラック間での光ディスク半径方向のずれをいう。増幅されたトラッキングエラー信号とフォーカスエラー信号は、ＣＤサーボプロセッサ１５に送られ、そこで、トラッキングドライブ信号とフォーカスドライブ信号が生成される（Ｓ４）。生成されたトラッキングドライブ信号とフォーカスドライブ信号は、ＣＤサーボプロセッサ１５からアクチュエータドライバ８に送られ、光ピックアップユニット４の制御を行なう（Ｓ５）。光ピックアップユニット４では、光ディスク１に対して、データの読み込み、書き込みを行なう（Ｓ６）。
【００１０】
この分野の先行例としては、（特許文献１）等がある。
【特許文献１】特開平１１−３９６７１号公報
【発明の開示】
【発明が解決しようとする課題】
【００１１】
上述したようなコンピュータなどの電子機器に接続される光ディスク装置は、当然ながら、接続する電子機器から供給される限られた電流を使用して動作する場合がある。しかしながら、光ディスク装置の消費電流は一定とは限らず、例えば、ＵＳＢ等を介して接続される外付けタイプの光ディスク装置の場合、フォーカスエラー信号やトラッキングエラー信号を基に光ピックアップユニット４の動作および制御を行なうアクチュエータドライバ８の消費電流によっても変動する。消費電流が変動し、ＵＳＢを介して供給されるＰＣ電源２４からの電流供給が許容電流量を超える場合、例えば、それが瞬間的なものであっても、商用電源のコンセントなどに接続されるＡＣアダプタ２５からの電流供給を受ける必要がある。
【００１２】
しかしながら、上記従来の構成では、ＡＣアダプタ２５等の外部電源が必要となり、また近くにコンセント等の電源供給源が無ければならず、使用者の利便性を最大限に生かすことができない。
【００１３】
本発明は、上記課題を解決するためになされたものであり、瞬間的な電流消費により許容電流量に裕度が無い場合であっても、電流供給源の許容範囲を超えることなく、動作可能な光ピックアップユニットの制御方法を提供することを目的とする。
【課題を解決するための手段】
【００１４】
本発明は、上記の課題を解決するためになされたものであって、トラッキングエラー信号とフォーカスエラー信号を用いて、光ピックアップユニットの制御を行なう制御方法であって、トラッキングエラー信号とフォーカスエラー信号の電圧値と、あらかじめ決められた電圧の閾値とが比較され、前記比較結果に基づいて、前記トラッキングエラー信号電圧と前記フォーカスエラー信号電圧の少なくとも一方が変更されることを特徴とする光ピックアップユニットの制御方法である。
【００１５】
また、本発明の光ディスク装置は、トラッキングエラー信号とフォーカスエラー信号を用いて、光ピックアップユニットを制御する制御部を備え、トラッキングエラー信号とフォーカスエラー信号の電圧値と、あらかじめ決められた電圧の閾値とを比較し、比較結果に基づいて、トラッキングエラー信号電圧とフォーカスエラー信号電圧の少なくとも一方を変更することを特徴とする光ディスク装置である。
【発明の効果】
【００１６】
本発明は上記構成により、前記トラッキングエラー信号と前記フォーカスエラー信号の電圧値と、あらかじめ決められた電圧の閾値とが比較され、前記比較結果に基づいて、前記トラッキングエラー信号電圧と前記フォーカスエラー信号電圧の少なくとも一方が変更されることによって、通常は光ディスク装置の消費電流が電流供給源の許容範囲を瞬間的に超える場合であっても、光ディスク装置の消費電流に制限を加えることが可能となり、電流供給源の許容範囲を超えないようにすることができる。
【００１７】
このことにより、瞬間的な電流消費により電流供給源の許容電流量に裕度が無い場合であっても、電流供給源の許容範囲を超えることなく、動作可能な光ピックアップユニットの制御方法と光ディスク装置を実現することができる。
【発明を実施するための最良の形態】
【００１８】
請求項１記載の発明は、トラッキングエラー信号とフォーカスエラー信号を用いて、光ピックアップユニットの制御を行なう制御方法であって、前記トラッキングエラー信号と前記フォーカスエラー信号の電圧値と、あらかじめ決められた電圧の閾値とが比較され、前記比較結果に基づいて、前記トラッキングエラー信号電圧と前記フォーカスエラー信号電圧の少なくとも一方が変更されることを特徴とするものである。前記トラッキングエラー信号電圧と前記フォーカスエラー信号電圧の少なくとも一方を変更されることによって、通常は光ディスク装置の消費電流が電流供給源の許容範囲を瞬間的に超える場合であっても、光ディスク装置の消費電流に制限を加えることが可能となり、電流供給源の許容範囲を超えないようにすることができる。このことにより、瞬間的な電流消費により電流供給源の許容電流量に裕度が無い場合であっても、電流供給源の許容範囲を超えることなく、動作可能な光ピックアップユニットの制御方法を実現することができる。
【００１９】
請求項２記載の発明は、前記トラッキングエラー信号電圧値と前記フォーカスエラー信号電圧値の変更は、あらかじめ決められた電圧の閾値を超えた場合に、あらかじめ決められた電圧の閾値と同一の電圧となることを特徴とするものである。あらかじめ決められた電圧の閾値に対して電流供給源の許容範囲の上限に対応する電圧を設定することによって、光ディスク装置の消費電流が電流供給源の許容範囲の上限を超えることが無くなる。
【００２０】
請求項３記載の発明は、前記あらかじめ決められた電圧の閾値は、使用される光ディスクの種類と光ピックアップの動作状態に応じて可変することを特徴とするものである。使用される光ディスクの種類により異なるトラッキングやフォーカスの追従可変範囲に最適に対応することができる。
【００２１】
請求項４記載の発明は、前記あらかじめ決められた電圧の閾値は、光ピックアップユニットの動作状態に応じて可変することを特徴とするものである。ピーク時の消費電流変化が大きい動作とピーク時の消費電流の変化が小さい動作とに、場合分けすることが可能となり、その時々の動作状況に応じて最適に対応することができる。
【００２２】
請求項５記載の発明は、光ディスクに対して情報の記録又は再生の少なくとも一方を行なう光ピックアップユニットと、光ディスクを回転させる回転駆動手段と、トラッキングエラー信号とフォーカスエラー信号を検出する光ピックアップユニットと、前記トラッキングエラー信号と前記フォーカスエラー信号を用いて前記光ピックアップユニットを制御する制御部を備え、前記トラッキングエラー信号と前記フォーカスエラー信号の電圧値と、あらかじめ決められた電圧の閾値とを比較し、前記比較結果に基づいて、前記トラッキングエラー信号電圧と前記フォーカスエラー信号電圧の少なくとも一方を変更することを特徴とする光ディスク装置である。前記トラッキングエラー信号電圧と前記フォーカスエラー信号電圧の少なくとも一方を変更することによって、通常は光ディスク装置の消費電流が電流供給源の許容範囲を瞬間的に超える場合であっても、光ディスク装置の消費電流に制限を加えることが可能となり、電流供給源の許容範囲を超えないようにすることができる。このことにより、瞬間的な電流消費により電流供給源の許容電流量に裕度が無い場合であっても、電流供給源の許容範囲を超えることなく、動作可能な光ディスク装置を実現することができる。
【００２３】
請求項６記載の発明は、前記光ディスク装置が、電力伝達機能と信号伝達機能を兼ね備えた接続手段を有することを特徴とするものである。電力伝達機能と信号伝達機能を兼ね備えた接続手段によって、光ディスク装置を使用する際にいくつものケーブルを接続する手間が省け、使用者の使い勝手が向上する。
【００２４】
請求項７記載の発明は、前記接続手段がＵＳＢ（ユニバーサル・シリアル・バス）であり、前記接続手段により接続される機器がコンピュータであることを特徴とするものである。光ディスク装置をＵＳＢにてコンピュータに接続する場合、光ディスク装置はＵＳＢを電源とし、規格化された電流の供給を受けるため、電流供給源の許容範囲の上限を知ることが容易になる。
【００２５】
（実施の形態１）
以下、本発明の一実施の形態について、図面を参照しながら説明する。
【００２６】
図１は本発明の一実施の形態における光ディスク装置の外観図である。図１において、１０１は光ディスク装置、１０２は上蓋、１０３はＵＳＢ接続用コネクタ、１０４はＵＳＢケーブル、１０５はコンピュータ、１０６はＡＣアダプタ、１０７はコンセント、１０８はＤＣジャックである。
【００２７】
光ディスク装置１０１は、コンピュータなどの電子機器に内蔵しない所謂外付けタイプのもので、上蓋１０２を開けて光ディスクが装着される。１０３はＵＳＢ接続用コネクタであり、ＵＳＢケーブル１０４にて例えばコンピュータ１０５に接続することにより、コンピュータ１０５は光ディスクからデータを読み取り、あるいは光ディスクにデータを書き込むことができる。１０６はＡＣアダプタであり、商用電源（１００Ｖ等）のコンセント１０７からの電圧を降圧及び整流し、ＤＣジャック１０８から光ディスク装置１０１に電流を供給する。
【００２８】
通常、外付けタイプの光ディスク装置１０１の電流取得は、ＵＳＢケーブル１０４などの電源バスに依る場合の他、ＡＣアダプタ１０６に依る場合がある。ＵＳＢケーブル１０４の電源バスで光ディスク装置１０１が必要とする電流を常に供給できるかは、主にコンピュータ１０５の電流供給能力や光ディスク装置１０１の消費電流に依存する。光ディスクにはＣＤ−ＲＯＭ、ＣＤ−Ｒ／ＲＷ、ＤＶＤ−ＲＯＭ、ＤＶＤ−ＲＡＭ、ＤＶＤ−Ｒ／ＲＷ、ＤＶＤ＋Ｒ／ＲＷが含まれ、光ディスク装置１０１はこれら光ディスク１の１種類もしくは数種類に対応可能なものが含まれる。
【００２９】
なお、光ディスク装置１０１の内部で使用するのに適した電流電圧にする電源回路を備えているものであれば、ＡＣアダプタ１０６を使用せず、商用電源を直接適切な電線とコネクタで引き込む構成であっても良い。また、商用電源は使用せず、光ディスク装置１０１に内蔵もしくは外付けされた電池を駆動用電源とするものであってもよい。光ディスク装置１０１を使用する際にいくつものケーブルを接続する手間を省き、使用者の使い勝手を考慮すれば、好ましくはＵＳＢケーブル１０４の電源バスのみの駆動である。
【００３０】
ＵＳＢケーブル１０４は、通常、コンピュータ１０５などの電子機器側と光ディスク装置１０１側にそれぞれ１つの接続端子を有しているが、場合によりコンピュータ１０５などの電子機器側の端子が複数あってもよい。そうすることにより、電子機器からＵＳＢケーブル１０４などを介して供給される電流の許容範囲を向上させることができる。
【００３１】
本実施の形態では、ＵＳＢケーブル１０４の電源バスのみで駆動できるように光ディスク装置１０１側の制御が行なわれるため、標準使用状態では、ＡＣアダプタ１０６で、商用電源（１００Ｖ等）のコンセント１０７からの電圧を降圧及び整流し、ＤＣジャック１０８から光ディスク装置１０１に電流を供給する必要はない。標準使用状態を超えて、記録速度を上げる必要がある場合などは、ＡＣアダプタ１０６をコンセント１０７に接続し、電流供給を受ける場合もある。例えば、標準使用状態は低消費電流モードであり、標準使用状態を越える場合は高速動作モードなどである。低消費電流モードとは、ＣＤの書き込みで４倍速、ＣＤの読み込みで１２倍速、ＤＶＤ書き込みでは２倍速、ＤＶＤの読み込みでは４倍速などである。また、高速動作モードとは、ＣＤの書き込みで２４倍速、ＣＤの読み込みで２４倍速、ＤＶＤの書き込みでは８倍速、ＤＶＤの読み込みでは８倍速などである。
【００３２】
図２は本発明の一実施の形態における光ディスク記録装置の構成を示すブロック図である。図２において、１は光ディスク、２はフィードモータ、３はスピンドルモータ、４は光ピックアップユニット、５はＬＤドライバ、６はフィードモータドライバ、７はスピンドルモータドライバ、８はアクチュエータドライバ、９はリードアンプ、１０はＣＤエンコーダ、１１はＣＤ−ＲＯＭエンコーダ、１２はバッファメモリ、１３はＡＴＩＰディテクタ、１４はＣＤ−ＲＯＭデコーダ、１５はＣＤサーボプロセッサ、１６はシステムバス、１７はＣＰＵ、１８はリードオンリメモリ（ＲＯＭ）、１９はメインメモリ、２０は不揮発メモリ、２１はインターフェース部、２２はインターフェースバス、２３は電源ユニット、２４はＰＣ電源、２５はＡＣアダプタ、２６はＤＩＰＳＷである。
【００３３】
光ディスク１はスピンドルモータ３によって回転し、光ピックアップユニット４がフィードモータ２によって光ディスク１の半径方向に移動して、光ディスク１に対してデータの書き込みや読み取りがなされる。スピンドルモータ３はスピンドルモータドライバ７によって駆動され、フィードモータ２はフィードモータドライバ６によって駆動される。また、光ピックアップユニット４はアクチュエータドライバ８によって駆動される。
【００３４】
フィードモータドライバ６、スピンドルモータドライバ７、アクチュエータドライバ８は、ＣＤサーボプロセッサ１５によってサーボ制御される。光ピックアップユニット４にはレーザダイオードが内蔵されており、レーザダイオードはＬＤドライバ５によって駆動され、ＣＤエンコーダ１０から制御される。ＣＤ−ＲＯＭエンコーダ１１は、記録すべきデータを格納されているバッファメモリ１２から取得し、記録のためにエンコード処理を行い、その結果をＣＤエンコーダ１０に入力するものである。
【００３５】
再生系では、光ディスク１と光ピックアップユニット４から得られる光信号はリードアンプ９で信号処理され、ＣＤサーボプロセッサ１５へのフィードバック信号として使われると共に、ＡＴＩＰディテクタ１３の入力信号となり、その出力信号はＣＤエンコーダ１０へフィードバックされる。ＣＤ−ＲＯＭデコーダ１４はＣＤ信号を復調するためのものであり、ＣＤサーボプロセッサ１５の出力信号を使ってデータ復調を行い、その結果をバッファメモリ１２へ格納する。バッファメモリ１２は記録データ、および復調したデータを一時記憶するためのメモリである。これらのデータはインターフェース部２１を経由し、インターフェースバス２２を使った通信でホストコンピュータとやりとりされるものである。
【００３６】
ＣＰＵ１７は論理判断や演算を行う。１８はリードオンリメモリ（ＲＯＭ）で、制御プログラム、ならびに光ディスク記録装置のための記録制御プログラムを記憶したプログラム記憶エリアを有している。１９はメインメモリであり、記録制御、再生制御に必要な記憶領域として使用される。
【００３７】
ここで、ＣＰＵ１７は本発明の制御部であり、ＣＤエンコーダ１０、ＣＤ−ＲＯＭエンコーダ１１、バッファメモリ１２、ＣＤ−ＲＯＭデコーダ１４、ＣＤサーボプロセッサ１５、ＲＯＭ１８、メインメモリ１９、不揮発メモリ２０、インターフェース部２１の各部から送られる信号が入力され、これらの信号の演算処理等を行い、この演算処理の結果（信号）を各部に送出し、各部にて駆動、処理を実行させ、各部の制御を行うものである。
【００３８】
システムバス１６は、光ディスク装置１０１内でのデータ転送用バスである。電源部分は、電源ユニット２３から、各制御チップに対して電圧を安定供給する。また、電源ユニット２３は、ＡＣアダプタ２５やＰＣ電源２４から、電源供給を受ける。ＰＣ電源２４は、パソコンにＵＳＢ接続されたインターフェース部２１から電源端子ＶＢＵＳの電圧に連動しドライブの電源ユニット２３に電圧を供給する仕組みを有し、ＵＳＢ電源のＯＮ／ＯＦＦに連動し自動的にドライブを起動及び終了させる。
【００３９】
本実施の形態では、標準使用状態の場合、ＵＳＢケーブル１０４の電源バスのみで駆動できるように光ディスク装置１０１側の制御が行なわれるため、ＡＣアダプタ２５を介した電流供給は不要となる。ここで、標準使用状態とは、低消費電流モードなどのことであるである。そのため、光ディスク装置１０１を使用する際にいくつものケーブルを接続する手間が省け、使用者の使い勝手が向上する。
【００４０】
次に、本発明の実施の形態における光ディスク装置の光ピックアップユニットの制御について、ＵＳＢバスによる電流供給を一例として図３を用いて説明する。
【００４１】
図３は、本発明の一実施の形態における光ディスク装置の光ピックアップユニットの制御を示すフローチャートである。光ディスク装置１０１は、光ディスク１が挿入されると、スピンドルモータ３を回転させ、起動処理を開始し、フォーカスサーボ、トラッキングサーボをかけ、光ディスクの種類判別を行なう（Ｓ１）。光ピックアップが搭載された光ピックアップユニット４で光ディスク１からのトラッキング信号とフォーカスエラー信号が検出され（Ｓ２）、検出されたトラッキングエラー信号とフォーカスエラー信号は、リードアンプ９で増幅される（Ｓ３）。フォーカスエラー信号とは、光ピックアップに備えられた対物レンズ（図示せず）より出射される光ビームスポットと光ディスク１の記録面との焦点方向のずれをいい、トラッキングエラー信号とは、前記光ビームスポットと光ディスク１の情報トラック間での光ディスク半径方向のずれをいう。増幅されたトラッキングエラー信号とフォーカスエラー信号は、ＣＤサーボプロセッサ１５に送られ、そこで、まず、トラッキングエラー信号とフォーカスエラー信号の電圧測定が行なわれる（Ｓ１１）。測定された電圧値はＣＰＵ１７に送られ、そこで、あらかじめ決められた電圧の閾値との比較が行なわれ、電流供給の動作モードの決定を行なう（Ｓ１２）。電流供給がＵＳＢバスモードでない(ＡＣアダプタモード）場合には、ＣＤサーボプロセッサ１５でトラッキングエラー信号生成とフォーカスドライブ信号の生成が行なわれる（Ｓ４）。生成されたトラッキングドライブ信号とフォーカスドライブ信号は、ＣＤサーボプロセッサ１５からアクチュエータドライバ８に送られ、光ピックアップユニット４の制御を行なう（Ｓ５）。光ピックアップユニット４では、光ディスク１に対して、データの読み込み、書き込みを行なう（Ｓ６）。
【００４２】
また、電流供給がＵＳＢバスモードの場合には、ＣＰＵ１７はＲＯＭ１８に格納されているあらかじめ決められた電圧の閾値であるクリップ値の中からディスクの種類に応じたクリップ値を読み出し、ＣＤサーボプロセッサ１５に設定する（Ｓ１３）。ＣＤサーボプロセッサ１５では、測定されたトラッキングエラー信号とフォーカスエラー信号の電圧値と、あらかじめ決められた電圧の閾値であるクリップ値とを比較して、前記比較結果に基づいて、トラッキングエラー信号電圧とフォーカスエラー信号電圧の少なくとも一方の変更を行なう（Ｓ１４）。変更されたトラッキングエラー信号とフォーカスエラー信号は、ＣＤサーボプロセッサ１５に送られ、トラッキングエラー信号生成とフォーカスドライブ信号の生成が行なわれる（Ｓ４）。生成されたトラッキングドライブ信号とフォーカスドライブ信号は、ＣＤサーボプロセッサ１５からアクチュエータドライバ８に送られ、光ピックアップユニット４の制御を行なう（Ｓ５）。光ピックアップユニット４では、光ディスク１に対して、データの読み込み、書き込みを行なう（Ｓ６）。
【００４３】
本実施の形態では、あらかじめ決められた電圧の閾値に対して電流供給源の許容範囲の上限に対応する電圧を設定することとし、トラッキングエラー信号電圧値とフォーカスエラー信号電圧値が、あらかじめ決められた電圧の閾値を超えた場合には、あらかじめ決められた電圧の閾値と同一の電圧となることとした。そうすることにより、光ディスク装置１０１の消費電流が電流供給源の許容範囲の上限を超えることが無くなる。
【００４４】
また、本実施の形態では、前記あらかじめ決められた電圧の閾値は、使用される光ディスク１の種類や光ピックアップユニット４の動作状態に応じて可変するものとした。そうすることにより、使用される光ディスク１の種類により異なるトラッキングやフォーカスの追従可変範囲に最適に対応することが可能となり、また、光ピックアップユニット４の動作状態においては、ピーク時の消費電流変化が大きい起動時とピーク時の消費電流の変化が小さい光ディスク１へのアクセス時にも最適に対応することができる。例えば、光ディスク１の種類が異なる場合は、ＣＤに対してＤＶＤの方があらかじめ決められた電圧の閾値を大きく設定し、また、光ピックアップユニット４の動作状態が異なる場合は、ピーク時の消費電流変化が大きい起動時に対して、ピーク時の消費電流の変化が小さい光ディスクへのアクセス時の方をあらかじめ決められた電圧の閾値を大きく設定する。
【００４５】
次に、本発明の実施の形態におけるＵＳＢバスモードで電流供給が可能でない場合のトラッキングエラー信号とフォーカスエラー信号の変更について、図を用いて説明する。
【００４６】
図４は、本発明の一実施の形態における変更後のトラッキングエラー信号とフォーカスエラー信号を示す図である。図７は、従来のトラッキングエラー信号とフォーカスエラー信号を示す図である。図４（ａ）、図７（ａ）は、上からトラッキングエラー信号電圧、トラッキングドライブ信号電圧、トラッキングドライブ信号電流を示したものであり、図４（ｂ）、図７（ｂ）は、上からフォーカスエラー信号電圧、フォーカスドライブ信号電圧、フォーカスドライブ信号電流を示したものである。図４、図７において、５１、６１はトラッキングエラー信号電圧、５２，６２はトラッキングドライブ信号電圧、５３、６３はフォーカスエラー信号電圧、５４、６４はフォーカスドライブ信号電圧、７２、８２はトラッキングドライブ信号電流、７４、８４はフォーカスドライブ信号電流である。トラッキングエラー信号電圧５１とトラッキングドライブ信号電圧５２とトラッキングドライブ信号電圧７２、フォーカスエラー信号電圧５３とフォーカスドライブ信号電圧５４とフォーカスドライブ信号電流７４、トラッキングエラー信号電圧６１とトラッキングドライブ信号電圧６２とトラッキングドライブ信号電流８２、フォーカスエラー信号電圧６３とフォーカスドライブ信号電圧６４とフォーカスドライブ信号電圧８４は、それぞれ対応したトラッキングエラー信号電圧とトラッキングドライブ信号電圧とトラッキングドライブ信号電流、フォーカスエラー信号電圧とフォーカスドライブ信号電圧とフォーカスドライブ信号電流である。
【００４７】
図７に示すトラッキングエラー信号電圧６１やフォーカスエラー信号電圧６３は、ＣＤサーボプロセッサ１５で、その電圧が測定される。測定された電圧値は、ＣＰＵ１７に送られ、そこで電流供給の動作モードの決定が行なわれる。この時、電流供給がＵＳＢバスモードの場合には、図７（ａ）、図７（ｂ）に示すトラッキングエラー信号電圧６１やフォーカスエラー信号電圧６３は、あらかじめ決められた電圧の閾値である設定されたクリップ値に基づき、図４（ａ）、図４（ｂ）のトラッキングエラー信号電圧５１やフォーカスエラー信号電圧５３の様に波形ピーク部をクリップする。ここで、クリップするとは、あらかじめ決められた電圧の閾値を超える電圧については、あらかじめ決められた電圧の閾値である設定されたクリップ値と同じ値とみなして、処理するものである。つまり、あらかじめ決められた電圧の閾値を超えた場合には、あらかじめ決められた電圧の閾値と同一の電圧となるようにするものである。ここで、同一の電圧とは、トラッキングエラー信号やフォーカスエラー信号の電圧値の変更精度も含め、あらかじめ決められた電圧の閾値に対して９０％程度以内のものをいう。
【００４８】
トラッキングエラー信号電圧５１やフォーカスエラー信号電圧５３の波形ピーク部は、挿入されている光ディスク１の種類に応じたクリップ値で制限されているため、それらを基に生成されるトラッキングドライブ信号やフォーカスドライブ信号もトラッキングドライブ信号電圧５２やフォーカスドライブ信号電圧５４のように変化し、更に光ピックアップユニットを駆動するトラッキングドライブ電流やフォーカスドライブ電流も図７に示すトラッキングドライブ電流８２やフォーカスドライブ電流８４が図４に示すトラッキングドライブ電流７２やフォーカスドライブ電流７４に変化する。そのため、トラッキングドライブ電流７２やフォーカスドライブ電流７４を、電流供給源の許容範囲内に十分収めることが可能となる。
【００４９】
これにより、通常は光ディスク装置１０１の消費電流が電流供給源の許容範囲を瞬間的に超える場合であっても、光ディスク装置１０１の消費電流に制限を加えることが可能となり、電流供給源の許容範囲を超えないようにすることができる。
【００５０】
このことにより、瞬間的な電流消費により電流供給源の許容電流量に裕度が無い場合であっても、電流供給源の許容範囲を超えることなく、動作可能な光ピックアップの制御方法を実現することができる。
【００５１】
また、上述の光ピックアップの制御方法を光ディスク装置に用いることによって、瞬間的な電流消費により電流供給源の許容電流量に裕度が無い場合であっても、電流供給源の許容範囲を超えることなく、動作可能な光ディスク装置１０１を実現することができる。
【００５２】
また、電力伝達機能と信号伝達機能を兼ね備えた接続手段を有した光ディスク装置１０１に用いた場合で、標準使用状態には、ＡＣアダプタ２５などによる電流供給が不要となるため、光ディスク装置１０１を使用する際にいくつものケーブルを接続する手間が省け、使用者の使い勝手が向上する。
【００５３】
さらに、電力伝達機能と信号伝達機能を兼ね備えた接続手段がＵＳＢであり、接続手段により接続される電子機器は、コンピュータである場合には、光ディスク装置１０１はＵＳＢを電源とし、規格化された電流の供給を受けるため、電流供給源の許容範囲の上限を知ることが容易になる。
【００５４】
なお、本実施の形態では、あらかじめ決められた電圧の閾値に電流供給源の許容範囲の上限に対応する電圧を設定することとし、トラッキングエラー信号電圧値とフォーカスエラー信号電圧値が、あらかじめ決められた電圧の閾値を超えた場合には、あらかじめ決められた電圧の閾値と同一の電圧となることとしたが、あらかじめ決められた電圧の閾値には、電流供給源の許容範囲の上限に対して８０％や７０％の値を設定しても良く、また、あらかじめ決められた電圧の閾値を超えた場合には、あらかじめ決められた電圧の閾値に対して８０％や７０％の値を設定しても良い。
【００５５】
また、本実施の形態では、前記あらかじめ決められた電圧の閾値は、使用される光ディスクの種類や光ピックアップの動作状態に応じて可変するものとしたが、あらかじめ決められた電圧の閾値は使用される光ディスクの種類や光ピックアップの動作状態に応じて可変するものに限定されるものでは無い。使用される光ディスクの種類により異なるトラッキングやフォーカスの追従可変範囲に最適に対応することや、光ピックアップの動作状態においては、ピーク時の消費電流変化が大きい起動時とピーク時の消費電流の変化が小さい光ディスクへのアクセス時にも最適に対応することを考慮すれば、あらかじめ決められた電圧の閾値は、使用される光ディスクの種類や光ピックアップの動作状態に応じて可変するものが好ましい。
【産業上の利用可能性】
【００５６】
本発明は、瞬間的な電流消費により電流供給源の許容電流量に裕度が無い場合であっても、電流供給源の許容範囲を超えることなく、動作可能な光ピックアップの制御方法を実現することができ、光ディスクに対して情報の記録又は再生の少なくとも一方を行なう光ピックアップユニットの制御方法および光ディスク装置などに適応可能である。
【図面の簡単な説明】
【００５７】
【図１】本発明の一実施の形態における光ディスク装置の外観図
【図２】本発明の一実施の形態における光ディスク記録装置の構成を示すブロック図
【図３】本発明の一実施の形態における光ディスク装置の光ピックアップユニットの制御を示すフローチャート
【図４】本発明の一実施の形態における変更後のトラッキングエラー信号とフォーカスエラー信号を示す図
【図５】従来の光ディスク装置の構成を示すブロック図
【図６】従来の光ピックアップユニットの制御を示すフローチャート
【図７】従来のトラッキングエラー信号とフォーカスエラー信号を示す図
【符号の説明】
【００５８】
１    光ディスク
２    フィードモータ
３    スピンドルモータ
４    光ピックアップユニット
５    ＬＤドライバ
６    フィードモータドライバ
７    スピンドルモータドライバ
８    アクチュエータドライバ
９    リードアンプ
１０    ＣＤエンコーダ
１１    ＣＤ−ＲＯＭエンコーダ
１２    バッファメモリ
１３    ＡＴＩＰディテクタ
１４    ＣＤ−ＲＯＭデコーダ
１５    ＣＤサーボプロセッサ
１６    システムバス
１７    ＣＰＵ
１８    リードオンリメモリ（ＲＯＭ）
１９    メインメモリ
２０    不揮発メモリ
２１    インターフェース部
２２    インターフェースバス
２３    電源ユニット
２４    ＰＣ電源
２５    ＡＣアダプタ
２６    ＤＩＰＳＷ
５１    トラッキングエラー信号電圧
５２    トラッキングドライブ信号電圧
５３    フォーカスエラー信号電圧
５４    フォーカスドライブ信号電圧
６１    トラッキングエラー信号電圧
６２    トラッキングドライブ信号電圧
６３    フォーカスエラー信号電圧
６４    フォーカスドライブ信号電圧
７２    トラッキングドライブ電流
７４    フォーカスドライブ電流
８２    トラッキングドライブ電流
８４    フォーカスドライブ電流
１０１    光ディスク装置
１０２    上蓋
１０３    ＵＳＢ接続用コネクタ
１０４    ＵＳＢケーブル
１０５    コンピュータ
１０６    ＡＣアダプタ
１０７    コンセント
１０８    ＤＣジャック
【図１】
2006147020.tif 000003
【図２】
2006147020.tif 000004
【図３】
2006147020.tif 000005
【図４】
2006147020.tif 000006
【図５】
2006147020.tif 000007
【図６】
2006147020.tif 000008
【図７】
2006147020.tif 000009